(57)【要約】【課題】耐久性が良好な農作業機を提供する。【解決手段】農作業機は、土を耕耘して盛り上げる盛土体と、盛土体にて盛り上げた土を締め固めて畦側面を形成する略円錐状の回転体である側面形成体１５とを具備する。側面形成体１５は、回転中心軸線Ｘを中心として放射状に位置する複数枚の側面形成板２１を備える。各側面形成板２１の拡径側端部２２には、この拡径側端部２２を覆って保護する保護手段４０の保護カバー２３を着脱可能に取り付けた。【選択図】        図２
2004305093.tif 000002
【特許請求の範囲】
【請求項１】
土を盛り上げる盛土体と、
この盛土体にて盛り上げられた土を締め固めて畦面を形成する回転体と、
この回転体の端部を覆って保護する着脱可能な保護手段と
を具備することを特徴とする農作業機。
【請求項２】
土を盛り上げる盛土体と、
回転中心軸線を中心として回転しながら、前記盛土体にて盛り上げられた土を締め固めて畦側面を形成する略円錐状の側面形成体とを具備し、
前記側面形成体は、前記回転中心軸線を中心として放射状に位置する複数枚の側面形成板を備え、
前記側面形成板の拡径側端部は、着脱可能な保護カバーにて覆われて保護されている
ことを特徴とする農作業機。
【請求項３】
保護カバーは、側面形成板の回転方向前端部における拡径側端部に形成された被固定部に対して固定具にて解除可能に固定されている
ことを特徴とする請求項２記載の農作業機。
【請求項４】
側面形成板はプラスチック製であり、保護カバーはステンレス製である
ことを特徴とする請求項２または３記載の農作業機。
【発明の詳細な説明】
【０００１】
【発明の属する技術分野】
本発明は、耐久性が良好な農作業機に関する。
【０００２】
【従来の技術】
従来、例えば土を盛り上げる盛土体と、回転中心軸線を中心として回転しながら盛土体にて盛り上げられた土を締め固めて畦側面を形成する略円錐状の側面形成体とを具備し、その側面形成体が回転中心軸線を中心として放射状に位置する複数枚の側面形成板を備えた農作業機が知られている（例えば、特許文献１参照。）。
【０００３】
【特許文献１】
特許第３１４８６７８号公報（第１頁、図５）
【０００４】
【発明が解決しようとする課題】
しかしながら、上記従来の農作業機は、例えば回転して畦側面を形成する側面形成体の各側面形成板の拡径側端部が磨耗しやすいため、回転体である側面形成体の耐久性が良好であるとはいえないものであった。
【０００５】
本発明は、このような点に鑑みなされたもので、耐久性が良好な農作業機を提供することを目的とする。
【０００６】
【課題を解決するための手段】
請求項１記載の農作業機は、土を盛り上げる盛土体と、この盛土体にて盛り上げられた土を締め固めて畦面を形成する回転体と、この回転体の端部を覆って保護する着脱可能な保護手段とを具備するものである。
【０００７】
そして、土を締め固めて畦面を形成する回転体の端部を覆って保護する着脱可能な保護手段を具備するものであるため、回転体の耐久性が良好である。
【０００８】
請求項２記載の農作業機は、土を盛り上げる盛土体と、回転中心軸線を中心として回転しながら、前記盛土体にて盛り上げられた土を締め固めて畦側面を形成する略円錐状の側面形成体とを具備し、前記側面形成体は、前記回転中心軸線を中心として放射状に位置する複数枚の側面形成板を備え、前記側面形成板の拡径側端部は、着脱可能な保護カバーにて覆われて保護されているものである。
【０００９】
そして、側面形成板の拡径側端部が着脱可能な保護カバーにて覆われて保護されているため、側面形成体の耐久性が良好である。
【００１０】
請求項３記載の農作業機は、請求項２記載の農作業機において、保護カバーは、側面形成板の回転方向前端部における拡径側端部に形成された被固定部に対して固定具にて解除可能に固定されているものである。
【００１１】
そして、固定具を用いて保護カバーを側面形成板の被固定部に対して適切に固定することが可能であり、固定具が側面形成板による畦形成に悪影響を及ぼすようなこともない。
【００１２】
請求項４記載の農作業機は、請求項２または３記載の農作業機において、側面形成板はプラスチック製であり、保護カバーはステンレス製であるものである。
【００１３】
そして、プラスチック製の側面形成板の拡径側端部がステンレス製の保護カバーにて適切に保護され、プラスチック製の側面形成板の耐久性の向上が図られる。
【００１４】
【発明の実施の形態】
以下、本発明の農作業機の一実施の形態について図面を参照して説明する。
【００１５】
図１において、１は農作業機で、この農作業機１は、走行車であるトラクタ（図示せず）に連結され、このトラクタの走行により畦に沿って移動しながら畦形成作業（畦修復作業）をする畦形成装置である。
【００１６】
農作業機１は、トラクタの後部に３点リンク（作業機昇降支持装置）を介して連結された機枠２を備えている。
【００１７】
機枠２は、連結部であるトラクタ連結部３を有しており、このトラクタ連結部３は、トップピンを有する中央のトップマスト（図示せず）と、ロワピン４を有する左右一対のロワアーム５とにて構成されている。
【００１８】
また、機枠２には、前後方向の入力軸６が回転可能に設けられている。この入力軸６は、トラクタのＰＴＯ軸にユニバーサルジョイントを介して連結され、トラクタからの動力を入力する。
【００１９】
さらに、機枠２の一側部における前側には、土を耕耘して盛り上げる前処理部である盛土体（ロータリ）７が回転可能に設けられている。この盛土体７は、入力軸６に伝動手段（図示せず）を介して接続された左右方向の水平状の回転軸８を有し、この回転軸８には耕耘爪９が放射状に取り付けられている。
【００２０】
また、機枠２の一側部における後側には、進行方向前側の盛土体７にて畦に盛り上げられた土を締め固めて新たな畦面を形成する畦形成部（ディスク）１１が回転可能に設けられている。なお、この畦形成部１１の回転速度は、トラクタの走行速度との関係で、畦面に対してスリップ回転する値に設定されている。
【００２１】
ここで、畦形成部１１は、入力軸６に伝動手段（図示せず）を介して接続された左右方向の水平状の回転軸（軸芯が回転中心軸線Ｘと一致する軸）１３を有している。
【００２２】
この回転軸１３には、図１および図２に示されるように、略円錐状の回転体としての円錐回転体である側面形成体１５と、略円筒状の円筒回転体である上面形成体１６とが、それぞれ回転軸１３と同軸状に取り付けられ、これら側面形成体１５および上面形成体１６が回転軸１３とともに回転するようになっている。
【００２３】
側面形成体１５は、進行方向に対して直交する左右水平方向の回転中心軸線Ｘを中心として回転方向（図示イ方向）に回転しながら、進行方向前側の盛土体７にて盛り上げられた土を畦に断続的に押し込むように締め固めて傾斜状の畦内側面（畦側面）を形成するものである。また、この側面形成体１５は、上面形成体１６側に向って縮径した略円錐状に形成されている。
【００２４】
そして、この側面形成体１５は、対向端部が重なるようにして回転方向（図示イ方向）に並び、回転中心軸線Ｘを中心として放射状に位置する複数枚（例えば６枚）の略扇状の作用板である側面形成板（分割羽根板）２１を外周面側に備えている。
【００２５】
各側面形成板２１は、いずれも同一形状のものであって、回転方向後端ほど強く土を押し込むものである。また、この側面形成板２１の全体が回転方向に沿ってやや湾曲した略扇状に形成されている。なお、各側面形成板２１は、例えば土が付着しにくいプラスチック製である。
【００２６】
そして、各側面形成板２１の外端部である拡径側端部２２には、この拡径側端部２２の略全体を覆って保護する保護カバー（樹脂ガード）２３が着脱可能にそれぞれ取り付けられている。
【００２７】
すなわち、側面形成板２１の拡径側端部（回転中心軸線Ｘ側とは反対側の端部）２２に対応した略円弧状の保護カバー２３が側面形成板２１の拡径側端部２２に沿って位置し、この着脱可能な断面略コ字状の保護カバー２３にて側面形成板２１の拡径側端部２２の３面、つまり内外面および端面が覆われて保護されている。
【００２８】
また、各保護カバー２３は、側面形成板２１の回転方向前端部における拡径側端部２２に形成された被固定部である固定用孔部２５に対して固定具２６にて解除可能に固定されている。この固定具２６は、例えば固定ピン２７および抜止ピン２８にて構成されている。
【００２９】
そして、各保護カバー２３は、側面形成板２１の拡径側端部２２の端面に接触してこの端面を覆う細長い略円弧板状の端面覆い板部である端面接触板部３１を有している。
【００３０】
この端面接触板部３１の長手方向に沿った一側部には、側面形成板２１の拡径側端部２２の外面（表面）に接触してこの外面を覆う細長い略円弧板状の外面覆い板部である外面接触板部３２が一体に設けられている。この外面接触板部３２の回転方向前端部には、端面接触板部３１側とは反対の側に向って膨出した膨出部３３が形成され、この膨出部３３には孔部３４が形成されている。
【００３１】
また、端面接触板部３１の長手方向に沿った他側部には、側面形成板２１の拡径側端部２２の内面（裏面）に接触してこの内面を覆う細長い略円弧板状の内面覆い板部である内面接触板部３６が一体に設けられている。この内面接触板部３６からは、複数（例えば２つ）の突片部３７が端面接触板部３１側とは反対の側に向って一体に突出している。
【００３２】
なお、各保護カバー２３は、例えばプラスチック製の側面形成板２１より磨耗しにくいステンレス製である。また、これら複数（例えば６つ）の保護カバー２３にて、回転体である側面形成体１５の拡径端部（外周部）、つまり機枠２側の周端部の略全体を覆って保護する着脱可能な磨耗防止用の保護手段４０が構成されている。
【００３３】
そして、保護カバー２３を側面形成板２１に取り付ける場合は、外面接触板部３２と内面接触板部３６との間に側面形成板２１の拡径側端部２２を嵌め込むことにより、保護カバー２３と側面形成板２１の拡径側端部２２とを互いに嵌合させて、保護カバー２３を側面形成板２１の拡径側端部２２に沿って位置させる。その後、互いに対向した両孔部２５，３４内に固定ピン２７を外側から差し込み、次いで、その固定ピン２７の先端横孔２７ａに抜止ピン２８を差し込む。
【００３４】
こうして、保護カバー２３は、固定具２６にて側面形成板２１の回転方向前端部における拡径側端部２２の固定用孔部２５に解除可能に固定された状態として、側面形成板２１の拡径側端部２２にこの拡径側端部２２に沿って着脱可能に取り付けられる。なお、固定具２６の固定ピン２７の頭部２７ｂは、保護カバー２３の外面接触板部３２上に露出している。
【００３５】
また、保護カバー２３を側面形成板２１から取り外す場合は、固定具２６の固定ピン２７の先端横孔２７ａから抜止ピン２８を抜き出してから、固定ピン２７を両孔部２５，３４内から抜き出した後、保護カバー２３と側面形成板２１の拡径側端部２２との嵌合を解除すればよい。
【００３６】
また、各側面形成板２１は、回転軸１３の端部に固着された截頭円錐状のベース４１にこのベース４１の外周面に略沿って位置するように取付具、例えばボルト４２およびナット（図示せず）によって着脱可能に取り付けられている。
【００３７】
なお、ベース４１の内面には、ベース４１を補強するための補強板４７が固着されている。また、各側面形成板２１とベース４１との間には略板状をなす段差形成用のスペーサ４３が配設され、各側面形成板２１の回転中心軸線Ｘからの離間距離が回転方向前端から回転方向後端に向って徐々に増大している。すなわち、各側面形成板２１は、回転方向後端ほどベース４１の外周面（基準円錐面）からの離間距離が大きくなるように傾斜状に配置され、回転方向後端ほど強く土を押し込むようになっている。このスペーサ４３にはねじ孔４３ａが形成され、このねじ孔４３ａにはボルト４２が補強板４７の内側から螺合されている。
【００３８】
また一方、略円筒状の上面形成体１６は、進行方向に対して直交する左右水平方向の回転中心軸線Ｘを中心として回転しながら、進行方向前側の盛土体７にて盛り上げられた土を畦に断続的に押し込むように締め固めて水平状の畦上面を形成するものである。なお、上面形成体１６の端部外面と側面形成体１５の縮径端部外面とを覆うように畦肩部形成用の筒状部材４５が配設されている。
【００３９】
次に、上記農作業機１を用いて畦形成作業を行う場合について説明する。
【００４０】
トラクタに農作業機１を連結した状態で、トラクタを前進走行させると、農作業機１がトラクタとともに進行方向に向って移動し、トラクタからの動力が入力軸６および伝動手段を経て回転軸８，１３に伝達され、盛土体７、側面形成体１５および上面形成体１６がそれぞれ所定方向に駆動回転する。
【００４１】
これら盛土体７、側面形成体１５および上面形成体１６が回転すると、畦塗り用の土が盛土体７の耕耘爪９にて耕耘されて盛り上げられ、この盛り上げられた土が側面形成体１５および上面形成体１６にて締め固められて傾斜状の畦内側面および水平状の畦上面が形成されて、所望の新畦が形成される。
【００４２】
そして、この畦形成作業時には、プラスチック製の各側面形成板２１の拡径側端部２２は、その拡径側端部２２に対して嵌脱により着脱可能なステンレス製の各保護カバー２３にて覆われて保護されているため、この拡径側端部２２が石等で損傷したり砂等で磨耗したりするようなことはない。
【００４３】
なお、例えば保護カバー２３が損傷、磨耗等して使用に適さなくなった場合には、側面形成板２１ごと交換する必要はなく、保護カバー２３のみを新しいものに交換すればよい。
【００４４】
このように、上記農作業機１によれば、側面形成体１５の各側面形成板２１の拡径側端部２２に、この拡径側端部２２を覆って保護する保護手段４０の各保護カバー２３を着脱可能に取り付けたものであるため、保護手段４０で保護しない従来の場合に比べて、側面形成体１５の各側面形成板２１の耐久性が良好である。
【００４５】
また、固定具２６を用いて保護カバー２３を側面形成板２１の固定用孔部２５に対して簡単かつ適切に固定することができ、しかも、固定具２６の固定ピン２７の頭部２７ｂが側面形成板２１による畦形成に悪影響を及ぼすようなことがなく、その頭部２７ｂが畦形成上邪魔にならず、きれいな新畦に仕上げることができる。
【００４６】
なお、上記一実施の形態の農作業機１の保護手段４０は、回転体である側面形成体１５の端部を覆って保護するものには限定されず、例えば図示しないが、回転して畦上面を形成する略円筒状或いは略円錐状の上面形成体（回転体）の端部を覆って保護するもの等でもよい。
【００４７】
また、農作業機１の畦形成部１１は、図示しないが、側面形成体および上面形成体に加えて、傾斜状の畦外側面を形成する円錐回転体である追加側面形成体を有するもの等でもよい。
【００４８】
さらに、側面形成体１５の略円錐状には、厳密な意味での円錐形状・円錐台形状には限定されず、これら円錐形状・円錐台形状に近似した形状等も含まれる。
【００４９】
また、側面形成体１５は、個別的に交換可能な互いに別体である作用板（側面形成板２１）を備えたものには限定されず、互いに一体的な作用板を複数枚備えた一体構造とすることもできる。
【００５０】
さらに、保護カバー２３は、側面形成板２１の拡径側端部２２の略全体を覆って保護するものには限定されず、例えば図３および図４に示すように、磨耗しやすい拡径側端部２２の回転方向後端側のみを覆って保護するものでもよい。
【００５１】
この図３および図４に示す保護カバー２３は、例えば側面形成板２１の拡径側端部２２の回転方向後端側の２面、つまり内面および端面を覆って保護するもので、側面形成板２１の拡径側端部２２およびベース４１に対して着脱可能に取り付けられている。
【００５２】
各保護カバー２３は、側面形成板２１の拡径側端部２２の回転方向後端側の内面（裏面）に接触してこの内面を覆う内面覆い板部である内面接触板部５１を有している。
【００５３】
この内面接触板部５１には、複数、例えば３つの孔部５２が形成されている。そして、この孔部５２に対応した固定用孔部５３が側面形成板２１の拡径側端部２２に形成されている。この固定用孔部５３は、固定ピン５４および抜止ピン５５からなる固定具５６の固定ピン５４の頭部５４ａの上面が側面形成板２１の外面（表面）と同一面上に位置するように、固定ピン５４に対応した形状に形成されている。
【００５４】
また、この内面接触板部５１には、スペーサ被取付板部６１が一体に設けられており、このスペーサ被取付板部６１の内面にねじ孔４３ａ付のスペーサ４３が取り付けられている。
【００５５】
さらに、この内面接触板部５１には、側面形成板２１の拡径側端部２２の回転方向後端側の端面に接触してこの端面を覆う細長い略円弧板状の端面覆い板部である端面接触板部６２が一体に設けられている。
【００５６】
なお、各保護カバー２３は、図２に示す保護カバー２３と同様、プラスチック製の側面形成板２１より磨耗しにくいステンレス製である。また、図３に示す保護カバー２３にて、回転体である側面形成体１５の拡径端部（外周部）、つまり機枠２側の周端部を周方向に間隔をおいて部分的に覆って保護する着脱可能な磨耗防止用の保護手段４０が構成されている。
【００５７】
そして、保護手段４０の保護カバー２３を取り付ける場合は、側面形成板２１とベース４１との間にスペーサ被取付板部６１およびスペーサ４３を挿入し、端面接触板部６２を側面形成板２１の拡径側端部２２の回転方向後端側の端面に当てる。その後、固定具５６の装着により保護カバー２３の内面接触板部５１を側面形成板２１の拡径側端部２２の回転方向後端側に解除可能に固定するとともに、ボルト４２の螺合により保護カバー２３のスペーサ被取付板部６１をスペーサ４３を介してベース４１に解除可能に固定する。
【００５８】
一方、側面形成板２１の拡径側端部２２の少なくとも回転方向後端側を覆って保護する保護カバー２３を取り外す場合は、固定具５６の固定ピン５４の先端横孔５４ｂから抜止ピン５５を抜き出してから固定ピン５４を両孔部５２，５３内から抜き出すとともに、ボルト４２の締付けを解除すればよい。
【００５９】
なお、図５に示すように、固定具５６を用いることなく保護カバー２３の取付性の向上を図るために、側面形成板２１の拡径側端部２２の回転方向後端側の外面を覆って保護する外面覆い板部である外面接触板部６５を端面接触板部６２に一体に設け、この端面接触板部６２と内面接触板部５１との間に側面形成板２１の拡径側端部２２の回転方向後端側を嵌め込むようにしてもよい。
【００６０】
また、端面接触板部６２、外面接触板部６５等の覆い板部は、側面形成板２１の拡径側端部２２との間に隙間が生じないように拡径側端部２２と接触させることが好ましいが、わずかな隙間が生じるようにしてもよい。
【００６１】
さらに、保護カバー２３とスペーサ４３とを別体としたものには限定されず、部品点数削減のために保護カバー２３とスペーサ４３とを一体とすることもできる。
【００６２】
【発明の効果】
請求項１の発明によれば、土を締め固めて畦面を形成する回転体の端部を覆って保護する着脱可能な保護手段を具備するものであるため、回転体の耐久性が良好である。
【００６３】
請求項２の発明によれば、側面形成板の拡径側端部にこの拡径側端部を覆って保護する保護カバーを着脱可能に取り付けたものであるため、側面形成体の耐久性が良好である。
【００６４】
請求項３の発明によれば、固定具を用いて保護カバーを側面形成板の被固定部に対して適切に固定でき、固定具が側面形成板による畦形成に悪影響を及ぼすようなこともない。
【００６５】
請求項４の発明によれば、プラスチック製の側面形成板の拡径側端部をステンレス製の保護カバーにて適切に保護でき、プラスチック製の側面形成板の耐久性の向上を図ることができる。
【図面の簡単な説明】
【図１】本発明の農作業機の一実施の形態を示す概略平面図である。
【図２】同上農作業機の畦形成部の側面図である。
【図３】本発明の農作業機の他の実施の形態の畦形成部の側面図である。
【図４】同上農作業機の保護カバーの断面図である。
【図５】本発明の農作業機のさらに他の実施の形態の保護カバーの断面図である。
【符号の説明】
１    農作業機
７    盛土体
１５    回転体である側面形成体
２１    側面形成板
２２    拡径側端部
２３    保護カバー
２５    被固定部である固定用孔部
２６    固定具
４０    保護手段
イ    回転方向
Ｘ    回転中心軸線
【図１】
2004305093.tif 000003
【図２】
2004305093.tif 000004
【図３】
2004305093.tif 000005
【図４】
2004305093.tif 000006
【図５】
2004305093.tif 000007